(57)【要約】【課題】押さえコンクリートの下に雨水が滞留することを防止できる排水溝構造、排水溝用金具、及び、排水溝構造の製造方法を提供すること。【解決手段】排水溝構造１は、建造物１００の下地１２０に設けられたバサモルタル層１６と、バサモルタル層１６上に設けられた排水溝１７と、排水溝１７に近接して設けられ、複数の孔部３２ａが形成された側壁部３２、ドレイン孔４１が設けられた底部３１、及び、側壁部３２の外面に設けられ、バサモルタル層１６に隣接する不織布３３を有する排水溝用金具１２と、下地１２０のドレイン孔４１と対向する位置に設けられたドレイン本体１１と、底部３１の上面に設けられ、ドレイン孔４１を覆うストレーナ１４と、  を備える。【選択図】      図２
2018154994.tif 000002
【特許請求の範囲】
【請求項１】
建造物の下地に設けられたバサモルタル層と、
前記バサモルタル層上に設けられた排水溝と、
前記排水溝に近接して設けられ、複数の孔部が形成された側壁部、ドレイン孔が設けられた底部、及び、前記側壁部の外面に設けられ、前記バサモルタル層に隣接する不織布を有する排水溝用金具と、
前記下地の前記ドレイン孔と対向する位置に設けられたドレイン本体と、
前記底部の上面に設けられ、前記ドレイン孔を覆うストレーナと、
を備える排水溝構造。
【請求項２】
前記排水溝用金具は、前記側壁部の上端部に設けられ、前記不織布の上端を挟持して固定する折り返し部を有することを特徴とする請求項１に記載の排水溝構造。
【請求項３】
前記排水溝用金具は、円形状の前記底部に円筒状の前記側壁部が溶接により固定されることで構成されることを特徴とする請求項２に記載の排水溝構造。
【請求項４】
前記排水溝用金具は、矩形状の前記底部に一体に設けられた４つの前記側壁部が溶接により固定されることで構成されることを特徴とする請求項２に記載の排水溝構造。
【請求項５】
建造物の下地に設けられたバサモルタル層上に排水溝が設けられる排水溝構造に用いられる排水溝用金具であって、
前記排水溝に近接して設けられ、複数の孔部が形成された側壁部と、
ドレイン孔が設けられた底部と、
前記側壁部の外面に設けられ、前記バサモルタル層に隣接する不織布と、を備える排水溝用金具と、
を備える排水溝用金具。
【請求項６】
建造物の下地に設けられたドレイン本体に、複数の孔部が形成された側壁部、ドレイン孔が設けられた底部及び前記側壁部の外面に設けられた不織布を有する排水溝用金具を、前記ドレイン孔を対向させて配置し、
前記下地の前記不織布と隣接する位置を含む範囲にバサモルタル層を設け、
少なくとも前記排水溝用金具に近接して、前記バサモルタル層上に排水溝を設置し、
前記ドレイン孔を覆って、前記底部の上面にストレーナを設置する、
排水溝構造の製造方法。
【発明の詳細な説明】
【技術分野】
【０００１】
本発明は、建造物のベランダ、バルコニー、廊下及び屋根等において排水を行うための排水溝構造、排水溝用金具、及び、排水溝構造の製造方法に関する。
【背景技術】
【０００２】
建造物のベランダ、バルコニー、廊下及び屋上等において、雨水等を排水するための排水溝構造が知られている（例えば、特許文献１参照）。また、このような排水溝構造として、所謂モルタル乾式工法で施工する技術が知られている。
【先行技術文献】
【特許文献】
【０００３】
【特許文献１】特開２００９−１６２０２２号公報
【発明の概要】
【発明が解決しようとする課題】
【０００４】
上述した施工方法では、以下の問題があった。即ち、外断熱の仕様により求められる断熱材及び排水勾配から、求められる最低のモルタル厚である３０ｍｍが確保しにくく、風雨にさらされることで、経年劣化による割れや浮きが生じる虞があった。
【０００５】
例えば、側溝から先を断熱せずに、スラブ下で断熱を行った場合には、防水層とモルタル側溝が密着することから、押さえコンクリートの下を通った雨水が滞留し、アスファルト防水層がアルカリ反応を起こしてゲル化する虞がある。また、ストレーナの周囲においては、雨水が滞留する、と言う問題もある。
【０００６】
そこで本発明は、押さえコンクリートの下に雨水が滞留することを防止できる排水溝構造、排水溝用金具、及び、排水溝構造の製造方法を提供することを目的とする。
【課題を解決するための手段】
【０００７】
前記課題を解決し目的を達成するために、本発明の排水溝構造、排水溝用金具、及び、排水溝構造の製造方法は次のように構成されている。
【０００８】
本発明の一態様として、排水溝構造は、建造物の下地に設けられたバサモルタル層と、前記バサモルタル層上に設けられた排水溝と、前記排水溝に近接して設けられ、複数の孔部が形成された側壁部、ドレイン孔が設けられた底部、及び、前記側壁部の外面に設けられ、前記バサモルタル層に隣接する不織布を有する排水溝用金具と、前記下地の前記ドレイン孔と対向する位置に設けられたドレイン本体と、前記底部の上面に設けられ、前記ドレイン孔を覆うストレーナと、を備える。
【０００９】
本発明の一態様として、排水溝用金具は、建造物の下地に設けられたバサモルタル層上に排水溝が設けられる排水溝構造に用いられる排水溝用金具であって、前記排水溝に近接して設けられ、複数の孔部が形成された側壁部と、ドレイン孔が設けられた底部と、前記側壁部の外面に設けられ、前記バサモルタル層に隣接する不織布と、を備える排水溝用金具と、を備える。
【００１０】
本発明の一態様として、排水溝構造の製造方法は、建造物の下地に設けられたドレイン本体に、複数の孔部が形成された側壁部、ドレイン孔が設けられた底部及び前記側壁部の外面に設けられた不織布を有する排水溝用金具を、前記ドレイン孔を対向させて配置し、前記下地の前記不織布と隣接する位置を含む範囲にバサモルタル層を設け、少なくとも前記排水溝用金具に近接して、前記バサモルタル層上に排水溝を設置し、前記ドレイン孔を覆って、前記底部の上面にストレーナを設置する。
【発明の効果】
【００１１】
本発明によれば、押さえコンクリートの下に雨水が滞留することを防止できる排水溝構造、排水溝用金具、及び、排水溝構造の製造方法を提供することが可能となる。
【図面の簡単な説明】
【００１２】
【図１】本発明の第１の実施形態に係る排水溝構造の構成を示す平面図。
【図２】同排水溝構造の構成を示す断面図。
【図３】同排水溝構造に用いられる排水溝用金具の構成を示す平面図。
【図４】同排水溝用金具の要部構成を示す断面図。
【図５】同排水溝構造の製造方法を示す流れ図。
【図６】本発明の第２の実施形態に係る排水溝構造に用いられるドレインカバーの構成を一部省略して示す断面図。
【図７】同ドレインカバーの構成を示す断面図。
【発明を実施するための形態】
【００１３】
以下、本発明の一実施形態に係る排水溝構造１を、図１乃至図５を用いて説明する。  
図１は本発明の第１の実施形態に係る排水溝構造１の構成を示す平面図、図２は図１中ＩＩ−ＩＩ線断面で排水溝構造１の構成を示す断面図、図３は排水溝構造１に用いられる排水溝用金具１２の構成を示す平面図、図４は排水溝用金具１２の側壁部３２及び不織布３３を示す断面図、図５は排水溝構造１の製造方法を示す流れ図である。
【００１４】
排水溝構造１は、ビルやマンション等の建造物１００のルーフバルコニー１１０等に配置されるルーフドレインである。建造物１００のルーフバルコニー１１０は、下地１２０上に、硬質ウレタンフォーム層１３０及び押さえコンクリート層１４０が設けられることで構成される。下地１２０は、例えば、建造物１００内に位置する下面にスラブ裏面断熱吹き付け層１２１が設けられたコンクリート層１２２上にアスファルト防水層１２３が設けられることで構成される。硬質ウレタンフォーム層１３０は、複数の硬質ウレタンフォームを敷き詰めることで形成される。押さえコンクリート層１４０は、硬質ウレタンフォーム層１３０上にコンクリートを打設することで形成される。
【００１５】
排水溝構造１は、このようなルーフバルコニー１１０の下地１２０上の、硬質ウレタンフォーム層１３０及び押さえコンクリート層１４０が設けられない部位に設けられる。排水溝構造１は、所謂竪引きルーフドレインと横引きルーフドレイン等を含み、本実施形態においては、竪引きルーフドレインの構成で説明する。
【００１６】
図１及び図２に示すように、排水溝構造１は、下地１２０に設けられたドレイン本体１１と、ドレイン本体１１上に設けられた排水溝用金具１２と、ドレイン本体１１及び排水溝用金具１２を固定する第１締結部材１３と、排水溝用金具１２上に設けられたストレーナ１４と、排水溝用金具１２及びストレーナ１４を固定する第２締結部材１５と、排水溝用金具１２に隣接して下地１２０上に設けられたバサモルタル層１６と、バサモルタル層１６上に設けられた排水溝１７と、を備えている。
【００１７】
ここで、排水溝構造１の周囲の下地１２０の形状は、バサモルタル層１６側からドレイン本体１１側へ向かって、傾斜して構成される。
【００１８】
ドレイン本体１１は、建造物１００のルーフバルコニー１１０のコンクリート層１２２を形成するコンクリートを打設するときに配置され、コンクリート層１２２に一体に固定される。ドレイン本体１１は、外方から中心に向かって傾斜する受け部２１と、受け部２１の中心に開口するドレイン口２２と、ドレイン口２２に設けられた排水管２３と、を備えている。ドレイン本体１１は、ストレーナ１４及び排水溝用金具１２を移動した雨水を受けるとともに、受けた雨水をドレイン口２２から排水可能に構成される。ドレイン本体１１は、第１締結部材１３を挿通する孔部を有する。
【００１９】
受け部２１は、上面視で円環状に構成され、上面が中心に向かって下方へ傾斜して構成される。受け部２１の上面には、下地１２０に設けられるアスファルト防水層１２３が設けられる。ドレイン口２２は、受け部２１の中心から下方に向かって円筒状に突出し、中心が開口する。排水管２３は、ドレイン口２２の内周面に固定される。
【００２０】
図３及び図４に示すように、排水溝用金具１２は、平板状の底部３１と、底部３１に設けられた側壁部３２と、側壁部３２の外面に設けられた不織布３３と、を備えている。排水溝用金具１２は、例えば、有底円筒状に構成される。排水溝用金具１２は、排水溝１７に近接するように、ドレイン本体１１に固定されることで、不織布３３が設けられた側壁部３２がバサモルタル層１６に隣接する。
【００２１】
底部３１は、円盤状に構成される。底部３１は、ドレイン孔４１と、第１締結部材１３を挿通させる第１孔部４２と、第２締結部材１５を挿通させる第２孔部４３と、を備えている。
【００２２】
ドレイン孔４１は、底部３１の中心に設けられる。ドレイン孔４１は、ストレーナ１４により覆われる。ドレイン孔４１は、例えば、ドレイン本体１１のドレイン口２２に対向する。第１孔部４２は、ドレイン孔４１の周囲に複数、例えば、３つが等間隔に設けられる。第１孔部４２は、ドレイン孔４１と連続する孔を構成する。第２孔部４３は、底部３１の外周縁側に複数、例えば、等間隔に２つ設けられる。
【００２３】
このような底部３１は、第１孔部４２に挿通された第１締結部材１３により、ドレイン本体１１に固定される。また、底部３１は、第２孔部４３に挿通された第２締結部材１５により、ストレーナ１４を固定する。
【００２４】
側壁部３２は、円筒状に構成され、複数の孔部３２ａと、上端部に設けられた折り返し部３２ｂと、を備える。側壁部３２は、底部３１の外周縁に固定される。側壁部３２は、例えば、平板状に構成され、図４に示すように、複数の孔部３２ａが設けられたパンチングメタルの上端となる一辺を曲げ加工することで折り返し部３２ｂを成形し、その後、円筒状に湾曲させて端部を溶接することで構成される。側壁部３２は、底部３１の外周縁に溶接によって固定される。
【００２５】
複数の孔部３２ａは、例えば、側壁部３２の折り返し部３２ｂよりも下方に設けられる。折り返し部３２ｂは、不織布３３の一辺側を挟持する。なお、側壁部３２は、平板状において、不織布３３を挟持するように上端を折り返して折り返し部３２ｂを成形し、その後、円筒状に成形することで構成される。
【００２６】
不織布３３は、水を通過可能、且つ、バサモルタル層１６を構成するバサモルタルを通過させない構成を有する。
【００２７】
第１締結部材１３は、例えば、ドレイン本体１１及び排水溝用金具１２を固定するボルト及びナットである。
【００２８】
ストレーナ１４は、複数の孔が設けられた有底筒状に構成される。ストレーナ１４は、排水溝用金具１２のドレイン孔４１を覆う。第２締結部材１５は、例えば、排水溝用金具１２及びストレーナ１４を固定するボルト及びナットである。
【００２９】
バサモルタル層１６は、下地１２０上の排水溝１７を設置する範囲に設けられる。バサモルタル層１６は、バサモルタルにより構成される。また、バサモルタル層１６は、排水溝用金具１２の周囲を覆うことで、不織布３３に隣接する。
【００３０】
排水溝１７は、バサモルタル層１６上に設けられる。排水溝１７は、図２に示すように予め形成された断面がコの字状のパネル部材を組み合わせることで構成される。例えば、排水溝１７を構成するパネル部材は、複数の形状を有し、これら複数の形状のパネル部材を組み合わせることで、排水溝１７が任意の形状に構成される。
【００３１】
次に、このように構成された排水溝構造１の製造方法を、図５の流れ図を用いて説明する。  
先ず、建造物１００のルーフバルコニー１１０のコンクリート層１２２の形成及びドレイン本体１１の固定を行う（ステップＳＴ１０）。詳細には、ルーフバルコニー１１０にコンクリートを打設するときに、ドレイン本体１１を所定の範囲に配置し、その後コンクリートを打設する。これにより、コンクリート層１２２が形成されるとともに、ドレイン本体１１は、コンクリート層１２２に一体に固定される。その後、コンクリート層１２２及びドレイン本体１１の受け部２１の上にアスファルト防水層１２３を設ける（ステップＳＴ１１）。
【００３２】
次いで、ドレイン本体１１条に排水溝用金具１２を設置する（ステップＳＴ１２）。具体的には、ドレイン本体１１上に排水溝用金具１２を配置し、ドレイン本体１１及び排水溝用金具１２を第１締結部材１３で固定する。なお、第１締結部材１３のボルト又はナットは、ドレイン本体１１をコンクリート層１２２に固定するときに、予めドレイン本体１１の孔部に設けておく。
【００３３】
次いで、コンクリート層１２２の上の所定の範囲に、具体的には、コンクリート層１２２上であって、後工程で設置される排水溝１７の範囲を除く領域に複数の硬質ウレタンフォームを敷き詰めて、硬質ウレタンフォーム層１３０を形成する（ステップＳＴ１３）。
【００３４】
次いで、コンクリート層１２２上にバサモルタルを敷き込み（ステップＳＴ１４）、バサモルタル層１６を形成する。具体的には、排水溝用金具１２の周囲の硬質ウレタンフォーム層１３０が設けられていない範囲に水を散布し、所定の割合で混合した砂及びセメントであるバサモルタルを当該範囲に敷き込み、バサモルタルを叩き込む。次いで、セメントノロをバサモルタル上に配置する。これにより、バサモルタル層１６を形成する。なお、バサモルタル層１６は、図２に示すように、上記範囲に加えて、上記範囲に隣接する、硬質ウレタンフォーム層１３０の縁部に渡って設けることが好ましい。
【００３５】
次いで、形成したバサモルタル層１６上に、排水溝１７を設置する（ステップＳＴ１５）。具体的には、排水溝１７を構成するパネル部材を、排水溝１７の形状となるようにバサモルタル層１６上に配置し、パネル部材の上面が所定の面方向となるように、ゴムハンマー等で高さを調整する。その後、パネル部材間に目地モルタルを塗り込み、排水溝１７を設置する。なお、排水溝１７の流路端が排水溝用金具１２となるように、排水溝１７が構成される。
【００３６】
次いで、ストレーナ１４を排水溝用金具１２に設置する（ステップＳＴ１６）。具体的には、排水溝用金具１２のドレイン孔４１を覆う位置にストレーナ１４を配置し、第２締結部材１５によりストレーナ１４を排水溝用金具１２に固定する。その後、硬質ウレタンフォーム層１３０上にコンクリートを打設して押さえコンクリート層１４０を形成する（ステップＳＴ１７）。これらの工程により、ルーフバルコニー１１０に排水溝構造１が製造される。
【００３７】
このように構成された排水溝構造１によれば、バサモルタル層１６に隣接して配置され、ドレイン本体１１に流体的に接続される排水溝用金具１２は、バサモルタル層１６に隣接して不織布３３が配置され、不織布３３の内側に側壁部３２の孔部３２ａが配置される。このため、バサモルタル層１６に雨水が浸入した場合には、当該雨水は、不織布３３及び孔部３２ａを介して排水される。このため、押さえコンクリート層１４０及びバサモルタル層１６に雨水が滞留することを防止できる。
【００３８】
また、排水溝用金具１２は、不織布３３を側壁部３２の上端の折り返し部３２ｂに固定する構成であることから、成形によって不織布３３を固定できる。また、不織布３３の外側には、バサモルタル層１６が設けられることから、不織布３３は、上端側を折り返し部３２ｂに固定すれば、バサモルタルによって側壁部３２に向かって押されるため、上端以外を固定する必要がない。結果、不織布３３を固定するための部材等を折り返し部３２ｂ以外に要しないことから、排水溝用金具１２の製造工程を低減すること及び部材点数の増加を防止することが可能となり、安価に排水溝用金具１２を製造することができる。
【００３９】
上述したように本発明の第１の実施形態に係る排水溝構造１によれば、押さえコンクリート層１４０及びバサモルタル層１６の下に雨水が滞留することを防止できる。
【００４０】
なお、本発明は前記実施形態に限定されるものではない。例えば、図６に示す第２の実施形態に係る排水溝構造１Ａに示すように、ルーフバルコニー１１０の隅部に設けられ、ドレイン口２２が水平方向に延びる横引きルーフドレインとする構成であってもよい。以下、排水溝構造１Ａを図６及び図７を用いて説明する。図６に示すように、横引きルーフドレインである排水溝構造１Ａは、ドレイン本体１１Ａと、排水溝用金具１２Ａと、第１締結部材１３と、ストレーナ１４Ａと、第２締結部材１５と、バサモルタル層１６と、排水溝１７と、を備えている。
【００４１】
ドレイン本体１１Ａは、ルーフバルコニー１１０の隅部の形状に合わせて矩形状の受け部２１Ａを有し、排水管２３が接続されるドレイン口２２Ａは、水平方向に延びる。
【００４２】
図７に示すように、排水溝用金具１２Ａは、矩形状の底部３１Ａと、孔部３２ａ及び折り返し部３２ｂを有する矩形筒状の側壁部３２Ａと、４枚の不織布３３と、を備える。折り返し部３２ｂは、側壁部３２Ａの各面の上端にそれぞれ設けられる。排水溝用金具１２Ａは、側壁部３２Ａの外面の一面と底部３１Ａとの稜部にドレイン孔４１を有する。
【００４３】
ストレーナ１４Ａは、複数の孔が設けられた有底の四半円筒状に構成される。
【００４４】
図７に示すように、このような排水溝用金具１２Ａは、矩形状の底部３１Ａの外縁にそれぞれ矩形状の側面を構成する板状の部材が一体となった、換言すると底部３１Ａ及び側壁部３２Ａが一体となったブランクを折り曲げて、その後、側壁部３２Ａの各外面同士を溶接することで構成される。また、不織布３３は、側壁部３２Ａの４面の外面に、側壁部３２Ａの各面の上端にもうけられた折り返し部３２ｂを介して固定される。
【００４５】
このように構成された排水溝構造１Ａは、上述した第１の実施形態に係る排水溝構造１と同様の効果を有する。なお、排水溝構造１Ａの排水溝用金具１２Ａは、側壁部３２Ａのルーフバルコニー１１０の側面に対向する面には、孔部３２ａ、折り返し部３２ｂ及び不織布３３を設けなくてもよい。これは、側壁部３２Ａの当該面にはバサモルタル層１６が配置されず、雨水の滞留が生じないためである。
【００４６】
また、上述した例では、排水溝構造１、１Ａは、ルーフバルコニー１１０に設ける構成を説明したがこれに限定されず、ベランダや廊下などに設ける構成であってもよい。さらに、上述した例で説明したバサモルタル層１６は、硬質ウレタンフォーム層１３０の一部に設けられる構成であってもよい。この他、本発明の要旨を逸脱しない範囲で種々変形実施可能である。
【符号の説明】
【００４７】
１…排水溝構造、１１…ドレイン本体、１２…排水溝用金具、１３…第１締結部材、１４…ストレーナ、１５…第２締結部材、１６…バサモルタル層、１７…排水溝、２１…受け部、２２…ドレイン口、２３…排水管、３１…底部、３２…側壁部、３２ａ…孔部、３２ｂ…折り返し部、３３…不織布、４１…ドレイン孔、４２…第１孔部、４３…第２孔部、１００…建造物、１１０…ルーフバルコニー、１２０…下地、１２１…スラブ裏面断熱吹き付け層、１２２…コンクリート層、１２３…アスファルト防水層、１３０…硬質ウレタンフォーム層、１４０…押さえコンクリート層。
【図１】
2018154994.tif 000003
【図２】
2018154994.tif 000004
【図３】
2018154994.tif 000005
【図４】
2018154994.tif 000006
【図５】
2018154994.tif 000007
【図６】
2018154994.tif 000008
【図７】
2018154994.tif 000009